(57)【要約】【課題】送信機の汎用性を高めリモコン受信装置の回路を簡略化する。【解決手段】リモコンから送信された光を媒体としてデータは、受光素子１０にて受信され、受光素子１０から出力電流が発生する。出力電流は、電流電圧変換回路１２にて出力電圧に電圧変換される。出力電圧は、バンドパスフィルタ１８を介して復調器２０に送られ復調され、復調された出力電圧は、比較器２２にて基準電圧に対し比較され、ディジタル信号からなる復調信号に変換され出力される。積分器２４には、予め閾値であるスレショルド電圧（Ｖ1）が設けられている。積分器２４は、比較器２２から出力される復調信号を積算してゆき、その積算値がスレショルド電圧（Ｖ1）に達すると、スイッチ信号を出力する。出力されたＳＷ信号は、ドライブ回路に送られ、ドライブ回路から出力されるドライブ信号に応じて電気機器の動作を切り替える。【選択図】図１
2006005793.tif 000002
【特許請求の範囲】
【請求項１】
送信信号を受けて、その送信信号のパルスを積算し、積算されたパルス量が閾値に達するとスイッチ信号を生成する積分器を有し、
前記積分器から出力されるスイッチ信号に基づいて、動作切替を制御することを特徴とする受信機のリモコン受信装置。
【請求項２】
請求項１に記載のリモコン受信装置において、
さらに、前記積分器から出力されるスイッチ信号に基づいて、ドライブ電流を発生するドライブ回路を有することを特徴とするリモコン受信装置。
【請求項３】
送信信号を受けて、その送信信号のパルスを積算し、積算されたパルス量が閾値に達するとスイッチ信号を生成する積分器と、
前記積分器から出力されるスイッチ信号に基づいて、ドライブ電流を発生するドライブ回路と、
前記ドライブ回路から出力されるドライブ電流の供給を受けて発光するＬＥＤと、を有することを特徴とするＬＥＤ照明機器用リモコン受信装置。
【請求項４】
請求項３に記載のＬＥＤ照明機器用リモコン受信装置において、
前記ドライブ回路は、複数のＬＥＤ群のそれぞれに供給する複数のドライブ電流を生成し、前記複数のＬＥＤ群を選択して発光させＬＥＤ照明量を調整することを特徴とするＬＥＤ照明機器用リモコン受信装置。
【請求項５】
請求項３に記載のＬＥＤ照明機器用リモコン受信装置において、
前記ドライブ回路は、前記ＬＥＤに供給するドライブ電流量を調整し、ＬＥＤの照明量を制御することを特徴とするＬＥＤ照明機器用リモコン受信装置。
【発明の詳細な説明】
【技術分野】
【０００１】
送信信号のパルス量に応じて動作切替を行うリモコン受信装置に関する。
【背景技術】
【０００２】
例えば、従来のリモコン受信装置は、図９に示すように、伝送された光を受信する受光素子１０と、受光素子１０が負入力端子に接続された差動増幅回路１４と差動増幅回路１４の負入力端子及び出力端子の間に接続された抵抗１６とからなる電流電圧変換回路１２と、電流電圧変換回路１２からの出力電圧のパルス波形から特定の周波数の範囲のみを通過させるバンドパスフィルタ（ＢＰＦ）１８と、バンドパスフィルタ１８より出力された特定周波数の出力電圧を復調する復調器２０と、復調器２０から出力される復調された出力電圧を基準電圧に対して比較し、ハイ（Ｈ）、ロウ（Ｌ）からなるディジタル信号にされた復調信号を出力する比較器（コンパレータ）２２とを有し、比較器２２により出力された復調信号はＣＰＵ等に出力される。ＣＰＵでは、入力された復調信号に一対一に相当するコマンドを検索し、このコマンドにしたがって電気機器の動作の切り替え制御を行っている。
【発明の開示】
【発明が解決しようとする課題】
【０００３】
通常、電気機器における各動作のコマンドには、ディジタル信号のパターンが一対一で割り当てられており、さらに、電気機器毎にそのディジタル信号のパターンも異なっている。このため、電気機器毎にコマンド処理に対応したリモコン受信装置が必要であり、また、複雑な上記ディジタル信号のデータ処理を行うＣＰＵを搭載する必要もあった。
【０００４】
本発明は、リモコン送信信号のパルス量に応じて動作切替を行うリモコン受信装置を提供することを目的とする。
【課題を解決するための手段】
【０００５】
本発明のリモコン受信装置は、以下の特徴を有する。
【０００６】
（１）送信信号を受けて、その送信信号のパルスを積算し、積算されたパルス量が閾値に達するとスイッチ信号を生成する積分器を有し、前記積分器から出力されるスイッチ信号に基づいて、動作切替を制御する受信機のリモコン受信装置である。
【０００７】
上記積分器において、送信信号の積算されたパルス量に応じてスイッチ信号が生成されるため、その電気機器専用のリモコンからの送信信号でない場合であっても、送信信号を受信した電気機器の動作を切り替えることができ、これにより、送信機であるリモコンの汎用性を高めることができる。また、従来のように、リモコン受信装置内に、送信信号を処理して得られたディジタルデータを解析し、そのデータに適した動作に切り替えるためのＣＰＵなどを搭載する必要がなく、リモコン受信装置の構成を簡略化することができ、また、コストを低減させることができる。
【０００８】
（２）上記（１）に記載のリモコン受信装置において、さらに、前記積分器から出力されるスイッチ信号に基づいて、ドライブ電流を発生するドライブ回路を有するリモコン受信装置である。
【０００９】
（３）送信信号を受けて、その送信信号のパルスを積算し、積算されたパルス量が閾値に達するとスイッチ信号を生成する積分器と、前記積分器から出力されるスイッチ信号に基づいて、ドライブ電流を発生するドライブ回路と、前記ドライブ回路から出力されるドライブ電流の供給を受けて発光するＬＥＤと、を有するＬＥＤ照明機器用リモコン受信装置である。
【００１０】
上記積分器において、送信信号の積算されたパルス量に応じてスイッチ信号が生成されるため、ＬＥＤ照明機器用リモコン以外のリモコンからの送信信号によっても、ＬＥＤ照明機器の照明動作、例えば、ＯＮ／ＯＦＦや明るさ度合いの切り替えを簡単に行うことができる。
【００１１】
（４）上記（３）に記載のＬＥＤ照明機器用リモコン受信装置において、前記ドライブ回路は、複数のＬＥＤ群のそれぞれに供給する複数のドライブ電流を生成し、前記複数のＬＥＤ群を選択して発光させＬＥＤ照明量を調整するＬＥＤ照明機器用リモコン受信装置である。
【００１２】
上記構成により、ＬＥＤ照明機器の明るさ度合いを容易に調整することができる。
【００１３】
（５）上記（３）に記載のＬＥＤ照明機器用リモコン受信装置において、前記ドライブ回路は、前記ＬＥＤに供給するドライブ電流量を調整し、ＬＥＤの照明量を制御するＬＥＤ照明機器用リモコン受信装置である。
【００１４】
上記構成により、ＬＥＤ照明機器の明るさ度合いを容易に調整することができる。
【発明の効果】
【００１５】
以上説明したように、本発明によれば、積分器において、送信信号の積算されたパルス量に応じてスイッチ信号が生成されるため、その電気機器専用の送信機であるリモコンからの送信信号でない場合であっても、送信信号を受信した電気機器の動作を切り替えることができる。これにより、送信機であるリモコンの汎用性も高めることができる。また、従来のように、リモコン受信装置内に、送信信号を処理して得られたディジタルデータを解析し、そのデータに適した動作に切り替えるためのＣＰＵなどを搭載する必要がなく、リモコン受信装置の構成を簡略化することができる。
【発明を実施するための最良の形態】
【００１６】
以下、本発明の実施形態について、図面に基づいて説明する。
【００１７】
図１は、実施形態の構成を示すブロック図である。
【００１８】
本実施の形態のリモコン受信装置は、図１に示すように、伝送された光を受信する受光素子１０と、受光素子１０が負入力端子に接続された差動増幅回路１４と差動増幅回路１４の負入力端子及び出力端子の間に接続された抵抗１６とからなる電流電圧変換回路１２と、電流電圧変換回路１２からの出力電圧のパルス波形から特定の周波数の範囲のみを通過させるバンドパスフィルタ（ＢＰＦ）１８と、バンドパスフィルタ１８より出力された特定周波数の出力電圧を復調する復調器２０と、復調器２０から出力される復調された出力電圧を基準電圧に対して比較し、ハイ（Ｈ）、ロウ（Ｌ）からなるディジタル信号にされた復調信号を出力する比較器（コンパレータ）２２と、比較器２２により出力された復調信号のパルス数を積算して予め設けた閾値に達するとスイッチ信号（ＳＷ信号）を出力する積分器２４とを有し、積分器２４より出力されたＳＷ信号は、後述するドライバ回路に出力される。
【００１９】
本実施の形態のリモコン受信装置の動作について、図１、図２を用いて説明する。
【００２０】
リモコンから送信された赤外線等の光を媒体としてデータは、受光素子１０にて受信される。受信信号のデータが「１」の場合、受光素子１０には光が照射され、受光素子１０から出力電流が発生する。一方、受信信号のデータが「０」のときには、受光素子１０に光が照射されないため、受光素子１０からは出力電流が発生しない。上述した出力電流は、電流電圧変換回路１２に供給され、電流電圧変換回路１２において、差動増幅回路１４が平衡状態であるから、差動増幅回路１４の負入力端子には帰還信号のみが印加される。これにより、出力電流は抵抗１６に供給され、出力電圧に電圧変換される。
【００２１】
得られた出力電圧は、バンドパスフィルタ１８に送られ、出力電圧のパルス波形から特定の周波数の範囲のみが通過し、復調器２０に送られ、復調される。復調器２０から出力された復調された出力電圧は、比較器２２において、基準電圧に対し反転比較され、Ｈ又はＬのディジタル信号からなる復調信号に変換され出力される。なお、本実施の形態では、比較器２２は反転比較としたが、これに限るものではなく、非反転比較であってもよい。
【００２２】
積分器２４には、予め閾値であるスレショルド電圧（Ｖ1）が設けられている。積分器２４は、比較器２２から出力される復調信号を積算してゆき、その積算値がスレショルド電圧（Ｖ1）に達すると、スイッチ信号（ＳＷ信号）を出力する。一旦ＳＷ信号を出力すると、積分器２４は復調信号の積算動作をリセットし、再度、出力されてくる復調信号を積算して、上記同様の動作を行う。
【００２３】
積分器２４より出力されたＳＷ信号は、後述するドライブ回路に送られ、ドライブ回路から出力されるドライブ電流に応じて電気機器の動作を切り替えることができる。
【００２４】
ここで、リモコン受信装置の光の誤動作を抑制するために、受光素子１０の指向性を高めてもよい。また、可視光カットフィルタの選択により光ノイズによる誤作動を軽減することができる。また、ＢＰＦの中央周波数、Ｑなどを変化させることで、メーカ毎で決められている変調周波数に適合するＢＰＦ特性を得ることが可能である。
【００２５】
次に、上述した積分器２４の回路の一例の構成を図３を用いて説明する。
【００２６】
上述した比較器２２から出力された復調信号は、ＮＰＮ型の入力トランジスタＴｒ１０のベースに入力される。この入力トランジスタＴｒ１０のエミッタは定電流源２６を介してグランドに接続され、入力トランジスタＴｒ１０のコレクタには、ベースコレクタが短絡されたＰ型のトランジスタＴｒ１４のコレクタに接続され、トランジスタＴｒ１４のエミッタは、電源電圧Ｖｃｃを供給する電源に接続されている。したがって、復調信号がＨのときにトランジスタＴｒ１０がオンし、電流がトランジスタＴｒ１４に流れる。
【００２７】
また、上記トランジスタＴｒ１０と一対のＰＮＰ型のトランジスタＴｒ１２のエミッタは、トランジスタＴｒ１０のエミッタとともに定電流源２６に共通接続され、このトランジスタＴｒ１２のベースは、基準電圧Ｖ0を介してグランドに接続されている。また、トランジスタＴｒ１２のコレクトには、ベースコレクタが短絡されたＰ型のトランジスタＴｒ１６のコレクタに接続され、トランジスタＴｒ１６のエミッタは、電源電圧Ｖｃｃを供給する電源に接続されている。したがって、トランジスタＴｒ１０とトランジスタＴｒ１２はコンパレータを構成している。したがって、復調信号がＬのときに、トランジスタＴｒ１０がオフすると、定電流源２６と同一の定電流Ｉ0がトランジスタＴｒ１２に流れ、このトランジスタＴｒ１２に流れると同一の定電流Ｉ0がトランジスタＴｒ１６に流れる。
【００２８】
また、トランジスタＴｒ１４のベースには、ＰＮＰ型のトランジスタＴｒ２４のベースが接続され、このトランジスタＴｒ２４のエミッタは、電源電圧Ｖｃｃを供給する電源に接続されている。したがって、トランジスタＴｒ１４は、トランジスタＴｒ２４とカレントミラーを構成している。また、トランジスタＴｒ２４のコレクタは、ベースコレクタが短絡したＮＰＮ型のトランジスタＴｒ２２のコレクタに接続され、このトランジスタＴｒ２２のエミッタはグランドに接続されている。したがって、復調信号がＨのときにトランジスタＴｒ１４に流れるものと同一の電流がトランジスタＴｒ２４及びトランジスタＴｒ２２に流れる。
【００２９】
上記トランジスタＴｒ１６のベースは、Ｐ型のトランジスタＴｒ１８のベースに接続され、このトランジスタＴｒ１８のエミッタは電源電圧Ｖｃｃを供給する電源に接続されている。また、トランジスタＴｒ１８のコレクタには、抵抗Ｒ0を介してコンデンサＣ0の上側に接続されるとともに、ＮＰＮ型のトランジスタＴｒ２０のコレクタ、ＮＰＮ型のトランジスタＴｒ２６のコレクタおよびトランジスタＴｒ２８のベースと接続されている。したがって、トランジスタＴｒ１６とトランジスタＴｒ１８はカレントミラーを構成する。これにより、復調信号がＬのときに、定電流源２６と同一の定電流Ｉ0はトランジスタＴｒ１８に流れ、抵抗Ｒ0を介して電流ｉc0がコンデンサＣ0に充電される。
【００３０】
また、トランジスタＴｒ２０のエミッタはグランドに接続され、トランジスタＴｒ２０のベースはベースコレクタが短絡されたＮＰＮ型のトランジスタＴｒ２２のベースと接続されている。したがって、トランジスタＴｒ２０とトランジスタＴｒ２２はカレントミラーを構成している。但し、トランジスタＴｒ２２はトランジスタＴｒ２０より１０倍程度サイズを大きく設定する。これにより、充電電流ｉc0＞放電電流ｉdとなる。したがって、復調信号がＬでトランジスタＴｒ１０がオフのときに、トランジスタＴｒ１４，２４，２２がオフとなる。一方、トランジスタＴｒ１０がオンのときに、トランジスタＴｒ１４，２４，２２がオンとなる。つまり、コンデンサＣ0は、復調信号がＬのときに電流ｉc0で充電され、復調信号がＨのときにトランジスタＴｒ２０がオンして、放電電流ｉdが放電される。
【００３１】
一方、定電流源２８は電源電圧Ｖｃｃを供給する電源に接続されるとともに、一対のＰＮＰ型のトランジスタＴｒ２８，３０のエミッタに共通接続されている。トランジスタＴｒ２８のコレクタはグランドに接続され、一方、トランジスタＴｒ３０のベースは、例えば２Ｖのスレショルド電圧Ｖ1に接続され、このトランジスタＴｒ３０のコレクタには、ベースコレクタが短絡されたＮＰＮ型のトランジスタＴｒ３２のコレクタが接続され、トランジスタＴｒ３２のエミッタはグランドに接続されている。したがって、トランジスタＴｒ２８とトランジスタＴｒ３０はコンパレータを構成している。したがって、コンデンサＣ0の上側のＢ点の電圧が電圧Ｖ1より高くなったとき、トランジスタＴｒ２８はオフし、定電流源２８から定電流Ｉ1がトランジスタＴｒ３０に流れ、このトランジスタＴｒ３０に流れるのと同一の電流がトランジスタＴｒ３２に流れる。
【００３２】
また、上記トランジスタＴｒ３２のベースはトランジスタＴｒ３４のベースと接続され、このトランジスタＴｒ３４のエミッタはグランドに接続されている。また、トランジスタＴｒ３４のコレクタは、抵抗Ｒ2を介して電源電圧Ｖｃｃを供給する電源に接続されているとともにトランジスタＴｒ３６のベースと接続されている。また、トランジスタＴｒ３６のエミッタには、電源電圧Ｖｃｃを供給する電源に接続され、このトランジスタＴｒ３６のコレクタは、抵抗Ｒ1を介してコンデンサＣ1の上側に接続されている。したがって、トランジスタＴｒ３２とトランジスタＴｒ３４はカレントミラーを構成する。これにより、Ｂ点の電圧が電圧Ｖ1より高くなったとき、定電流源２８からの定電流Ｉ1がトランジスタＴｒ３０に流れ、これと同一の電流が、トランジスタＴｒ３２に流れ、さらにトランジスタＴｒ３４に流れる。そして、トランジスタＴｒ３６がオンして、抵抗Ｒ1を介して電流ｉc1がコンデンサＣ1に充電される。トランジスタＴｒ３６がオンすることでＳＷ信号（Ｈ）が出力される。
【００３３】
また、上記トランジスタＴｒ３６のコレクタは、抵抗Ｒ1を介してさらにトランジスタＴｒ２６のベースに接続されている。ＳＷ信号Ｈが出力される場合、同時に電流ｉC1でコンデンサＣ1が充電される。この充電電流によりコンデンサＣ1がチャージされ、トランジスタＴｒ２６がオンすると、急速にＢ点の放電をｉd1で行う。Ｂ点が放電されると電位が下がり、今まで流れていたトランジスタＴｒ３０がオフし、逆にトランジスタＴｒ２８がオンとなる。したがって、トランジスタＴｒ３０，Ｔｒ３２，Ｔｒ３４がオフとなり、トランジスタＴｒ３６もオフとなる。
【００３４】
以上の構成により、復調信号がＬのときにコンデンサＣ0に電流ｉc0が充電されてゆき、コンデンサＣ0の上側電圧が、コンパレータのスレショルドレベルＶ1に達すると、トランジスタＴｒ３６がオンして、ＳＷ信号が出力される。ＳＷ信号が出力されると同時にコンデンサＣ1が電流ｉC1により充電される。つまり、電流ｉC1とコンデンサＣ１でＳＷ信号のパルス幅を決めている。また、トランジスタＴｒ２６がオンすると急速に放電電流ｉd1が放電され、コンデンサＣ0の充電電圧がリセットされる。
【００３５】
図３において、例えば以下の条件で積分器回路が設定されている場合、ＳＷ信号は復調信号２０ｍｓｅｃ以上で発生する。
電流ｉc0＝１００μＡ
Ｃ0＝１μＦ
Ｖ１＝２Ｖ
ｉc0≫ｉdとすると、
ｔ＝（Ｃ0×Ｖ1）／ｉc0＝（１×１０-6×２）／（１００×１０-6）＝２０-3
【００３６】
したがって、上記コンデンサＣ0、スレショルド電圧Ｖ1、定電流ｉc0の値の設定を変えることによって、復調信号によるＳＷ信号の発生時間を制御することができる。
【００３７】
次に、ＳＷ信号を用いた電気機器の動作切り替えについて、ＬＥＤ照明機器を例に取って、以下に説明する。
【００３８】
まず、図４に示すように、上述した積分器から出力されたスイッチ信号を基に、カウンタ回路において、ドライブ信号Ｄ0，Ｄ1，Ｄ2，Ｄ3を生成させる。
【００３９】
以下に、カウンタ回路を含みＬＥＤ照明機器の照度調整を行うドライブ回路及びＬＥＤの構成について、図５から図８を用いて説明する。
【００４０】
［ＬＥＤの数量による照度調整］
図５に示すように、積分器から生成されたＳＷ信号は、カウンタ回路３０に入力され、上述したように、ドライブ信号Ｄ0，Ｄ1，Ｄ2，Ｄ3が生成される。
【００４１】
カウンタ回路３０から出力されたドライブ信号Ｄ0は、ＮＰＮ型のトランジスタＴｒ４０のベースに入力される。トランジスタＴｒ４０のコレクタは、抵抗Ｒ20を介して、電源電圧Ｖｃｃを供給する電源に接続されている。またトランジスタＴｒ４０のエミッタは抵抗Ｒ10を介してグランドに接続されるとともに、ＮＰＮ型のトランジスタＴｒ４２のベースに接続される。トランジスタＴｒ４２のエミッタはグランドに接続され、またトランジスタＴｒ４２のコレクタは抵抗Ｒ0を介してＬＥＤ群３２に接続されている。したがって、ドライブ信号Ｄ0がＨのときトランジスタＴｒ４０がオンし、これによりトランジスタＴｒ４２がオンしてＬＥＤ群３２に電流が流れ、ＬＥＤ群３２のＬＥＤが発光する。
【００４２】
同様にして、カウンタ回路３０から出力されたドライブ信号Ｄ1は、ＮＰＮ型のトランジスタＴｒ４４のベースに入力される。トランジスタＴｒ４４のコレクタは、抵抗Ｒ21を介して、電源電圧Ｖｃｃを供給する電源に接続されている。またトランジスタＴｒ４４のエミッタは抵抗Ｒ11を介してグランドに接続されるとともに、ＮＰＮ型のトランジスタＴｒ４６のベースに接続される。トランジスタＴｒ４６のエミッタはグランドに接続され、またトランジスタＴｒ４６のコレクタは抵抗Ｒ1を介してＬＥＤ群３４に接続されている。したがって、ドライブ信号Ｄ1がＨのときトランジスタＴｒ４４がオンし、これによりトランジスタＴｒ４６がオンしてＬＥＤ群３４に電流が流れ、ＬＥＤ群３４のＬＥＤが発光する。
【００４３】
また、カウンタ回路３０から出力されたドライブ信号Ｄ2は、ＮＰＮ型のトランジスタＴｒ４８のベースに入力される。トランジスタＴｒ４８のコレクタは、抵抗Ｒ22を介して、電源電圧Ｖｃｃを供給する電源に接続されている。またトランジスタＴｒ４８のエミッタは抵抗Ｒ12を介してグランドに接続されるとともに、ＮＰＮ型のトランジスタＴｒ５０のベースに接続される。トランジスタＴｒ５０のエミッタはグランドに接続され、またトランジスタＴｒ５０のコレクタは抵抗Ｒ2を介してＬＥＤ群３６に接続されている。したがって、ドライブ信号Ｄ2がＨのときトランジスタＴｒ４８がオンし、これによりトランジスタＴｒ５０がオンしてＬＥＤ群３６に電流が流れ、ＬＥＤ群３６のＬＥＤが発光する。
【００４４】
さらに、カウンタ回路３０から出力されたドライブ信号Ｄ3は、ＮＰＮ型のトランジスタＴｒ５２のベースに入力される。トランジスタＴｒ５２のコレクタは、抵抗Ｒ23を介して、電源電圧Ｖｃｃを供給する電源に接続されている。またトランジスタＴｒ５２のエミッタは抵抗Ｒ13を介してグランドに接続されるとともに、ＮＰＮ型のトランジスタＴｒ５４のベースに接続される。トランジスタＴｒ５４のエミッタはグランドに接続され、またトランジスタＴｒ５４のコレクタは抵抗Ｒ3を介してＬＥＤ群３８に接続されている。したがって、ドライブ信号Ｄ3がＨのときトランジスタＴｒ５２がオンし、これによりトランジスタＴｒ５４がオンしてＬＥＤ群３８に電流が流れ、ＬＥＤ群３８のＬＥＤが発光する。
【００４５】
ＳＷ信号の入力毎に、ドライブ信号Ｄ0，Ｄ1，Ｄ2，Ｄ3は、状態が図４のように変化する場合、第１のＳＷ信号が入力されたとき、ドライブ信号Ｄ0，Ｄ1，Ｄ2，Ｄ3全てがＨとなり、つまり全群のＬＥＤ群を発光させることになる。次のＳＷ信号が入力された場合、ドライブ信号Ｄ3のドライブ信号がＬになり、ＬＥＤ群３８がオフ状態となる。このようにＳＷ信号が入力されることにより、ＬＥＤ照明機器の動作切替、すなわち照度調整を行うことができる。
【００４６】
［ＬＥＤ電流値による照度調整］
図６に示すように、積分器から生成されたＳＷ信号は、カウンタ回路４０に入力され、上述したように、ドライブ信号Ｄ0，Ｄ1，Ｄ2，Ｄ3が生成される。
【００４７】
カウンタ回路４０から出力されたドライブ信号Ｄ0は、ＮＰＮ型のトランジスタＴｒ６０のベースに入力される。トランジスタＴｒ６０のエミッタはグランドに接続され、トランジスタＴｒ６０のコレクタは、抵抗Ｒ0を介して、ベースコレクタが短絡されたＰ型のトランジスタＴｒ６２のコレクタに接続されている。また、トランジスタＴｒ６２のエミッタは、電源電圧Ｖｃｃを供給する電源に接続されている。トランジスタＴｒ６２のベースは、Ｐ型のトランジスタＴｒ６４のベースに接続され、トランジスタＴｒ６４のエミッタは電源電圧Ｖｃｃを供給する電源に接続されている。したがって、トランジスタＴｒ６２とトランジスタＴｒ６４がカレントミラーを構成している。また、トランジスタＴｒ６４のコレクタはＬＥＤ群４２に接続されている。したがって、ドライブ信号Ｄ0がＨのときトランジスタＴｒ６０がオンし、抵抗Ｒ0で決められる一定の電流がトランジスタＴｒ６２にも流れる。トランジスタＴｒ６２とＴｒ６４の電流比はミラー比で決められる。ミラー比で決められる電流がトランジスタＴｒ６４にも流れる。したがって、ＬＥＤ群４２にもこの電流が流れ、これによりＬＥＤ群４２のＬＥＤが発光する。
【００４８】
同様に、カウンタ回路４０から出力されたドライブ信号Ｄ1は、ＮＰＮ型のトランジスタＴｒ６６のベースに入力される。トランジスタＴｒ６６のエミッタはグランドに接続され、トランジスタＴｒ６６のコレクタは、抵抗Ｒ1を介して、ベースコレクタが短絡されたＰ型のトランジスタＴｒ６８のコレクタに接続されている。また、トランジスタＴｒ６８のエミッタは、電源電圧Ｖｃｃを供給する電源に接続されている。トランジスタＴｒ６８のベースは、Ｐ型のトランジスタＴｒ７０のベースに接続され、トランジスタＴｒ７０のエミッタは電源電圧Ｖｃｃを供給する電源に接続されている。したがって、トランジスタＴｒ６８とトランジスタＴｒ７０がカレントミラーを構成している。また、トランジスタＴｒ７０のコレクタはＬＥＤ群４２に接続されている。したがって、ドライブ信号Ｄ1がＨのときトランジスタＴｒ６６がオンし、抵抗Ｒ1で決められる一定の電流がトランジスタＴｒ６８にも流れる。同時にミラー比で決められる電流がトランジスタＴｒ７０にも流れる。したがって、ＬＥＤ群４２にもこの電流が流れ、これによりＬＥＤ群４２のＬＥＤが発光する。
【００４９】
また、カウンタ回路４０から出力されたドライブ信号Ｄ2は、ＮＰＮ型のトランジスタＴｒ７２のベースに入力される。トランジスタＴｒ７２のエミッタはグランドに接続され、トランジスタＴｒ７２のコレクタは、抵抗Ｒ2を介して、ベースコレクタが短絡されたＰ型のトランジスタＴｒ７４のコレクタに接続されている。また、トランジスタＴｒ７４のエミッタは、電源電圧Ｖｃｃを供給する電源に接続されている。トランジスタＴｒ７４のベースは、Ｐ型のトランジスタＴｒ７６のベースに接続され、トランジスタＴｒ７６のエミッタは電源電圧Ｖｃｃを供給する電源に接続されている。したがって、トランジスタＴｒ７４とトランジスタＴｒ７６がカレントミラーを構成している。また、トランジスタＴｒ７６のコレクタはＬＥＤ群４２に接続されている。したがって、ドライブ信号Ｄ2がＨのときトランジスタＴｒ７２がオンし、抵抗Ｒ2で決められる一定の電流がトランジスタＴｒ７４にも流れる。同時にミラー比で決められる電流がトランジスタＴｒ７６にも流れ、ＬＥＤ群にもこの電流が流れ、これによりＬＥＤ群４２のＬＥＤが発光する。
【００５０】
さらに、カウンタ回路４０から出力されたドライブ信号Ｄ3は、ＮＰＮ型のトランジスタＴｒ７８のベースに入力される。トランジスタＴｒ７８のエミッタはグランドに接続され、トランジスタＴｒ７８のコレクタは、抵抗Ｒ3を介して、ベースコレクタが短絡されたＰ型のトランジスタＴｒ８０のコレクタに接続されている。また、トランジスタＴｒ８０のエミッタは、電源電圧Ｖｃｃを供給する電源に接続されている。トランジスタＴｒ８０のベースは、Ｐ型のトランジスタＴｒ８２のベースに接続され、トランジスタＴｒ８２のエミッタは電源電圧Ｖｃｃを供給する電源に接続されている。したがって、トランジスタＴｒ８０とトランジスタＴｒ８２がカレントミラーを構成している。また、トランジスタＴｒ８２のコレクタはＬＥＤ群４２に接続されている。したがって、ドライブ信号Ｄ3がＨのときトランジスタＴｒ７８がオンし、抵抗Ｒ3で決められる一定の電流がトランジスタＴｒ８０にも流れる。同時にミラー比で決められる電流がトランジスタＴｒ８２にも流れ、ＬＥＤ群にもこの電流が流れ、これによりＬＥＤ群４２のＬＥＤが発光する。
【００５１】
上記構成にすることにより、ドライブ信号Ｄ0，Ｄ1，Ｄ2，Ｄ3が全てＨの場合、各系列の一定の電流が全てＬＥＤ群４２に流れることになり、最もＬＥＤの発光が大きい状態となる。カウンタ回路４０からドライブ信号Ｄ0，Ｄ1，Ｄ2，Ｄ3のそれぞれの状態により、ＬＥＤ群４２に流れる電流値を調整することができ、これにより、ＬＥＤ照明機器の動作切替、すなわち照度調整を行うことができる。
【００５２】
［複数ＬＥＤ群を用いたＬＥＤ電流値の調整］
図７に示すように、積分器から生成されたＳＷ信号は、カウンタ回路に入力され、上述したように、ドライブ信号Ｄ0，Ｄ1，Ｄ2，Ｄ3が生成される。
【００５３】
カウンタ回路から出力されたドライブ信号Ｄ0は、ＮＰＮ型のトランジスタＴｒ８４のベースに入力される。トランジスタＴｒ８４のエミッタはグランドに接続され、トランジスタＴｒ８４のコレクタは、抵抗Ｒ0を介して、ベースコレクタが短絡されたＰ型のトランジスタＴｒ８８のコレクタに接続されている。また、トランジスタＴｒ８８のエミッタは、電源電圧Ｖｃｃを供給する電源に接続されている。トランジスタＴｒ８８のベースは、Ｐ型のトランジスタＴｒ８９，９０，９１のそれぞれのベースに接続され、トランジスタＴｒ８９，９０，９１のエミッタはそれぞれ電源電圧Ｖｃｃを供給する電源に接続されている。したがって、トランジスタＴｒ８８とトランジスタＴｒ８９，９０，９１は、多連出力形カレントミラーを構成している。また、トランジスタＴｒ８９，９０，９１のコレクタは、それぞれＬＥＤ群５０，５２，５４に接続されている。したがって、ドライブ信号Ｄ0がＨのときトランジスタＴｒ８４がオンし、抵抗Ｒ0で決められる一定の電流がトランジスタＴｒ８４とＴｒ８８に流れる。したがってミラー比で決められている電流がトランジスタＴｒ８９，９０，９１にも流れ、これによりＬＥＤ群５０，５２，５４のＬＥＤが発光する。
【００５４】
同様に、カウンタ回路から出力されたドライブ信号Ｄ1は、ＮＰＮ型のトランジスタＴｒ８５のベースに入力される。トランジスタＴｒ８５のエミッタはグランドに接続され、トランジスタＴｒ８５のコレクタは、抵抗Ｒ1を介して、ベースコレクタが短絡されたＰ型のトランジスタＴｒ９２のコレクタに接続されている。また、トランジスタＴｒ９２のエミッタは、電源電圧Ｖｃｃを供給する電源に接続されている。トランジスタＴｒ９２のベースは、Ｐ型のトランジスタＴｒ９３，９４，９５のそれぞれのベースに接続され、トランジスタＴｒ９３，９４，９５のエミッタはそれぞれ電源電圧Ｖｃｃを供給する電源に接続されている。したがって、トランジスタＴｒ９２とトランジスタＴｒ９３，９４，９５は、多連出力形カレントミラーを構成している。また、トランジスタＴｒ９３，９４，９５のコレクタは、それぞれＬＥＤ群５０，５２，５４に接続されている。したがって、ドライブ信号Ｄ1がＨのときトランジスタＴｒ８５がオンし、抵抗Ｒ1で決められる一定の電流がトランジスタＴｒ８５とＴｒ９２に流れる。したがって、ミラー比で決められる電流がトランジスタＴｒ９３，９４，９５にも流れ、これによりＬＥＤ群５０，５２，５４のＬＥＤが発光する。
【００５５】
また、カウンタ回路から出力されたドライブ信号Ｄ2は、ＮＰＮ型のトランジスタＴｒ８６のベースに入力される。トランジスタＴｒ８６のエミッタはグランドに接続され、トランジスタＴｒ８６のコレクタは、抵抗Ｒ2を介して、ベースコレクタが短絡されたＰ型のトランジスタＴｒ９６のコレクタに接続されている。また、トランジスタＴｒ９６のエミッタは、電源電圧Ｖｃｃを供給する電源に接続されている。トランジスタＴｒ９６のベースは、Ｐ型のトランジスタＴｒ９７，９８，９９のそれぞれのベースに接続され、トランジスタＴｒ９７，９８，９９のエミッタはそれぞれ電源電圧Ｖｃｃを供給する電源に接続されている。したがって、トランジスタＴｒ９６とトランジスタＴｒ９７，９８，９９は、多連出力形カレントミラーを構成している。また、トランジスタＴｒ９７，９８，９９のコレクタは、それぞれＬＥＤ群５０，５２，５４に接続されている。したがって、ドライブ信号Ｄ2がＨのときトランジスタＴｒ８６がオンし、抵抗Ｒ2で決められる一定の電流がトランジスタＴｒ８６とＴｒ９６に流れる。したがって、ミラー比で決められている電流がトランジスタＴｒ９７，９８，９９にも流れ、これによりＬＥＤ群５０，５２，５４のＬＥＤが発光する。
【００５６】
さらに、カウンタ回路から出力されたドライブ信号Ｄ3は、ＮＰＮ型のトランジスタＴｒ８７のベースに入力される。トランジスタＴｒ８７のエミッタはグランドに接続され、トランジスタＴｒ８７のコレクタは、抵抗Ｒ3を介して、ベースコレクタが短絡されたＰ型のトランジスタＴｒ１００のコレクタに接続されている。また、トランジスタＴｒ１００のエミッタは、電源電圧Ｖｃｃを供給する電源に接続されている。トランジスタＴｒ１００のベースは、Ｐ型のトランジスタＴｒ１０１，１０２，１０３のそれぞれのベースに接続され、トランジスタＴｒ１０１，１０２，１０３のエミッタはそれぞれ電源電圧Ｖｃｃを供給する電源に接続されている。したがって、トランジスタＴｒ１００とトランジスタＴｒ１０１，１０２，１０３は、多連出力形カレントミラーを構成している。また、トランジスタＴｒ１０１，１０２，１０３のコレクタは、それぞれＬＥＤ群５０，５２，５４に接続されている。したがって、ドライブ信号Ｄ3がＨのときトランジスタＴｒ８７がオンし、抵抗Ｒ3で決められる一定の電流がトランジスタＴｒ８７とＴｒ１００に流れる。したがって、ミラー比で決められている電流がトランジスタＴｒ１０１，１０２，１０３にも流れ、これによりＬＥＤ群５０，５２，５４のＬＥＤが発光する。
【００５７】
上記構成にすることにより、ＬＥＤ群５０，５２，５４に流れる電流値をカウンタからのドライブ信号Ｄ0，Ｄ1，Ｄ2，Ｄ3のそれぞれの状態により設定することができる。例えば、図４のタイミングチャートのように、第１のＳＷ信号を入力した場合、ドライブ信号Ｄ0，Ｄ1，Ｄ2，Ｄ3全てがＨとなり、各系列の抵抗Ｒ0，Ｒ1，Ｒ2，Ｒ3で決められている電流が全てのＬＥＤ群に流れることになり、最大のＬＥＤ発光状態となる。次のＳＷ信号が入力されるとドライブ信号Ｄ3のみがＬとなり、抵抗Ｒ3で決まる電流が流れなくなる。以下同様に、ＳＷ信号が入力されることにより、ＬＥＤ群５０，５２，５４に流れる電流値を調整することができ、これにより、ＬＥＤ照明機器の動作切替、すなわち照度調整およびＯＮ／ＯＦＦを行うことができる。
【００５８】
また、図８に示すように、パルス変調（ＰＷＭ）コントローラと上述したカウンタ回路３０，４０とを組み合わせてもよい。
【００５９】
図８に示すように、制御信号がＰＷＭコントローラ６２に入力され、ＰＷＭコントローラ６２からパルス変調（ＰＷＭ）信号が出力される。一方、積分器から出力されたＳＷ信号はカウンタ回路６０に入力され、カウンタ回路６０からドライブ信号Ｄ0，Ｄ1，Ｄ2，Ｄ3が出力される。
【００６０】
そして、ＰＷＭコントローラ６２とカウンタ回路６０より出力されたＰＷＭ信号とドライブ信号Ｄ0は、アンド回路１００に入力され、アンド回路１００からパルス変調されたドライブ信号Ｄ0’が出力される。同様に、ＰＷＭコントローラ６２とカウンタ回路６０より出力されたＰＷＭ信号とドライブ信号Ｄ1は、アンド回路１０２に入力され、アンド回路１０２からパルス変調されたドライブ信号Ｄ1’が出力される。また、ＰＷＭコントローラ６２とカウンタ回路６０より出力されたＰＷＭ信号とドライブ信号Ｄ2は、アンド回路１０４に入力され、アンド回路１０４からパルス変調されたドライブ信号Ｄ2’が出力される。さらに、ＰＷＭコントローラ６２とカウンタ回路６０より出力されたＰＷＭ信号とドライブ信号Ｄ3は、アンド回路１０６に入力され、アンド回路１０６からパルス変調されたドライブ信号Ｄ3’が出力される。
【００６１】
上記パルス変調されたドライブ信号Ｄ0’，Ｄ1’，Ｄ2’，Ｄ3’は、上述した図５から図７に示すＬＥＤの照度調整用のドライブ信号Ｄ0，Ｄ1，Ｄ2，Ｄ3の替わりに用いることができる。ＰＷＭコントローラからのＰＷＭ信号を用いてパルス変調を行うことにより、電力転換効率が向上し省エネルギーでＬＥＤ照明装置を駆動させることができる。
【産業上の利用可能性】
【００６２】
本発明のリモコン受信装置は、送信された送信信号を単なるデータ信号の塊として捉えて動作切替処理を行えるため、ＬＥＤ照明機器のみならず、扇風機、ファンヒータなどの簡単な動作を行う電気機器の制御用途に有用である。
【図面の簡単な説明】
【００６３】
【図１】実施形態に係るリモコン受信装置の構成を示すブロック図である。
【図２】本発明における送信信号から生成されスイッチ信号の波形の一例を示す図である。
【図３】本発明における積分器の構成の一例を示す回路図である。
【図４】本発明におけるスイッチ信号から生成されるドライブ信号Ｄ0，Ｄ1，Ｄ2，Ｄ3の波形の一例を示す図である。
【図５】本発明におけるドライブ回路とＬＥＤ群との構成を示す回路図である。
【図６】本発明における他のドライブ回路とＬＥＤ群との構成を示す回路図である。
【図７】本発明における他のドライブ回路とＬＥＤ群との構成を示す回路図である。
【図８】パルス変調コントローラを組み合わせたドライブ回路の構成を示す図である。
【図９】従来のリモコン受信装置の構成を示すブロック図である。
【符号の説明】
【００６４】
１０  受光素子、１２  電流電圧変換回路、１４  差動増幅回路、１６  抵抗、１８  バンドパスフィルタ、２０  復調器、２２  比較器、２４  積分器。
【図１】
2006005793.tif 000003
【図２】
2006005793.tif 000004
【図３】
2006005793.tif 000005
【図４】
2006005793.tif 000006
【図５】
2006005793.tif 000007
【図６】
2006005793.tif 000008
【図７】
2006005793.tif 000009
【図８】
2006005793.tif 000010
【図９】
2006005793.tif 000011